(57)【要約】  この発明は、複数の画素を含むマトリックスディスプレイに存在する欠陥の視覚的インパクトを低減するための方法であって、前記画素は少なくとも３つの副画素を含み、各副画素は画素が有する他の副画素の副画素色の線形組合せによっては得られ得ない副画素色を発生させることに対して意図され、前記方法は：人の視覚系の表現を与えることと、ディスプレイに存在する少なくとも１つの欠陥副画素を特徴付けることとを含み、その欠陥副画素は第１の副画素色を発生させることに対して意図され、その欠陥副画素は複数の非欠陥副画素によって取囲まれ、前記方法はさらに、駆動信号を、複数の非欠陥副画素のうちの少なくともあるものに関して、人の視覚系の表現および少なくとも１つの欠陥副画素の特徴付けに従って導き出すことにより、欠陥副画素に対する人の視覚系の予期される応答を最小限に抑えることと、複数の非欠陥副画素のうちの少なくともあるものを、導き出された駆動信号で駆動することとを含み、欠陥副画素に対する人の視覚系の応答を最小限に抑えることは別の副画素色を発生させることに対する少なくとも１つの非欠陥副画素の光出力値を変更することを含み、前記別の副画素色は前記第１の副画素色とは異なる方法を提供する。この発明は、さらに、マトリックスディスプレイに存在する欠陥の視覚的インパクトを低減するための対応するシステム、および存在する欠陥の視覚的インパクトが低減されたマトリックスディスプレイも提供する。
2007512557.tif 000002
【特許請求の範囲】
【請求項１】
複数の画素（１４）を含むマトリックスディスプレイ（１２）に存在する欠陥の視覚的インパクトを低減するための方法であって、前記画素（１４）は少なくとも３つの副画素（２０、２１、２２）を含み、各副画素は画素が有する他の副画素の副画素色の線形組合せによっては得られ得ない副画素色を発生させることに対して意図され、前記方法は：
人の視覚系の表現を与えることと、
ディスプレイに存在する少なくとも１つの欠陥副画素を特徴付けることとを含み、その少なくとも１つの副画素は第１の副画素色を発生させることに対して意図され、その欠陥副画素は複数の非欠陥副画素によって取囲まれ、前記方法はさらに、
駆動信号を、複数の非欠陥副画素のうちの少なくともあるものに関して、人の視覚系の表現および少なくとも１つの欠陥副画素の特徴付けに従って導き出すことにより、欠陥副画素に対する人の視覚系の予期される応答を最小限に抑えることと、
複数の非欠陥副画素のうちの少なくともあるものを、導き出された駆動信号で駆動することとを含み、
欠陥副画素に対する人の視覚系の応答を最小限に抑えることは別の副画素色を発生させることに対して意図される少なくとも１つの非欠陥副画素の光出力値を変更することを含み、前記別の副画素色は前記第１の副画素色とは異なる、方法。
【請求項２】
欠陥副画素に対する人の視覚系の応答を最小限に抑えることは前記欠陥副画素と同じ画素の一部である少なくとも１つの非欠陥副画素において光出力偏差を導入することを含む、請求項１に記載の方法。
【請求項３】
前記光出力偏差は欠陥副画素によって引起される光出力偏差と同様である、請求項２に記載の方法。
【請求項４】
前記光出力偏差は、前記画素の全光出力が、その画素がどのような欠陥副画素も有さないであろう場合に、その画素の全光出力と実質的に等しいように、される、請求項２に記載の方法。
【請求項５】
駆動信号を複数の非欠陥副画素のうちの少なくともあるものに対して導き出すことは、さらに、前記人の視覚系と前記ディスプレイとの間の距離、前記人の視覚系と前記ディスプレイとの間の視野角、および環境的な迷光の存在のうちの少なくとも１つに対して訂正を組込むことにより実行される、先行する請求項のいずれかに記載の方法。
【請求項６】
ディスプレイに存在する少なくとも１つの欠陥副画素を特徴付けることは、個々の副画素の位置および線形光出力応答を特徴付ける特徴付けデータを記憶することを含み、この特徴付けデータは個々の副画素の光出力をそれの駆動信号の関数として表現する、先行する請求項のいずれかに記載の方法。
【請求項７】
人の視覚系の表現を与えることは、副画素に与えられる刺激に対する人の目の予期される応答を計算することを含む、先行する請求項のいずれかに記載の方法。
【請求項８】
副画素に与えられる刺激に対する人の目の予期される応答を計算することについては、目の点像分布関数、瞳関数、線像分布関数、光学伝達関数、変調伝達関数または位相伝達関数のうちの任意のものを使用する、請求項７に記載の方法。
【請求項９】
欠陥副画素に対する人の視覚系の応答を最小限に抑える際に、境界条件を考慮に入れる、先行する請求項のいずれかに記載の方法。
【請求項１０】
複数の画素を含むマトリックスディスプレイに存在する欠陥の視覚的インパクトを低減するためのシステムであって、前記画素は少なくとも３つの副画素を含み、各副画素は、画素が有する他の副画素の副画素色の線形組合せによっては得られ得ない副画素色を発生させることに対して意図され、ディスプレイは人の視覚系によって見られるよう意図され、人の視覚系のための特徴付けデータが与えられ、前記システムは：
ディスプレイに存在する少なくとも１つの欠陥副画素に対し第２の特徴付けデータを発生させるための欠陥特徴付け装置を含み、欠陥副画素は第１の副画素色を発生させることに対して意図され複数の非欠陥副画素によって取囲まれ、前記システムはさらに、
第１の特徴付けデータおよび第２の特徴付けデータに従って複数の非欠陥副画素のうちの少なくともあるものに対して駆動信号を導き出し、それによって、欠陥副画素に対する人の視覚系の予期される応答を最小限に抑える訂正装置と、
複数の非欠陥副画素のうちの少なくともあるものを、導き出された駆動信号で駆動するための手段とを含み、
訂正装置は、別の副画素色を発生させることに対して意図される少なくとも１つの非欠陥副画素の光出力値を変更する手段を含み、前記別の副画素色は前記第１の副画素色とは異なる、システム。
【請求項１１】
訂正装置は前記欠陥副画素と同じ画素の一部である少なくとも１つの非欠陥副画素において光出力偏差を導入するための手段を含む、請求項１０に記載のシステム。
【請求項１２】
前記光出力偏差は欠陥副画素によって引起される光出力偏差と同様である、請求項１１に記載の方法。
【請求項１３】
前記光出力偏差は、前記画素の全光出力が、その画素がどのような欠陥副画素も有さないであろう場合に、その画素の全光出力と実質的に等しいように、される、請求項１１に記載の方法。
【請求項１４】
駆動信号を導き出すための訂正装置は、前記人の視覚系と前記ディスプレイとの間の距離、前記人の視覚系と前記ディスプレイとの間の視野角、および環境的な迷光の存在のうちの少なくとも１つに対して訂正をを組込む駆動信号を導き出すことに対して適合される、請求項１０〜１３のいずれかに記載のシステム。
【請求項１５】
欠陥副画素特徴付け装置はディスプレイの副画素の画像を発生させるための画像捕捉装置を含む、請求項１０〜１４のいずれかに記載のシステム。
【請求項１６】
欠陥副画素特徴付け装置はディスプレイの個々の副画素の実際の位置を識別するための副画素位置識別装置を含む、請求項１０〜１５のいずれかに記載のシステム。
【請求項１７】
第１の特徴付けデータを与えることに関し、副画素に与えられる刺激に対する人の目の応答を計算するための計算手段を有する視覚特徴付け装置が設けられる、請求項１０〜１６のいずれかに記載のシステム。
【請求項１８】
人の視覚系によって見られるよう意図される画像を表示するためのマトリックスディスプレイ装置であって、
複数の画素を含み、前記画素は少なくとも３つの副画素を含み、各副画素は、画素が有する他の副画素の副画素色の線形組合せによっては得られ得ない副画素色を発生させることに対して意図され、前記マトリックスディスプレイ装置はさらに、
人の視覚系に対する第１の特徴付けデータを記憶するための第１のメモリと、
ディスプレイ装置に存在する少なくとも１つの欠陥副画素に対し第２の特徴付けデータを記憶するための第２のメモリとを含み、欠陥副画素は第１の副画素色を発生させること
に対して意図され、前記マトリックスディスプレイ装置はさらに、
第１の特徴付けデータおよび第２の特徴付けデータに従って、駆動信号を、欠陥副画素を取囲む非欠陥副画素に関して変調し、マトリックスディスプレイ装置に存在する欠陥副画素の視覚的インパクトを低減するための変調装置を含み、駆動信号を変調することは、別の副画素色を発生させることに対して意図される少なくとも１つの非欠陥副画素の光出力値を変更することを含み、前記別の副画素色は前記第１の副画素色とは異なる、マトリックスディスプレイ装置。
【請求項１９】
第１および第２のメモリは物理的に同じメモリ装置である、請求項１８に記載のマトリックスディスプレイ装置。
【請求項２０】
複数の画素を含むマトリックスディスプレイに存在する欠陥の視覚的インパクトを低減するためのシステムとともに用いるための制御ユニットであって、前記画素は少なくとも３つの副画素を含み、各副画素は、画素が有する他の副画素の副画素色の線形組合せによっては得られ得ない副画素色を発生させることに対して意図され、ディスプレイは人の視覚系によって見られるよう意図され、前記制御ユニットは、
人の視覚系に対する第１の特徴付けデータを記憶するための第１のメモリと、
ディスプレイに存在する少なくとも１つの欠陥副画素に対し第２の特徴付けデータを記憶するための第２のメモリとを含み、欠陥副画素は第１の副画素色を発生させることに対して意図され、前記制御ユニットはさらに、
第１の特徴付けデータおよび第２の特徴付けデータに従って、駆動信号を、欠陥副画素を取囲む非欠陥副画素に関して変調し、欠陥副画素の視覚的インパクトを低減するための変調手段を含み、駆動信号を変調することは、別の副画素色を発生させることに対して意図される少なくとも１つの非欠陥副画素の光出力値を変更することを含み、前記別の副画素色は前記第１の副画素色とは異なる、制御ユニット。
【発明の詳細な説明】
【技術分野】
【０００１】
発明の技術的分野
この発明は、マトリックスアドレス指定される電子ディスプレイ装置、特に固定されたフォーマットのディスプレイ、たとえばプラズマディスプレイ、電界放出ディスプレイ、液晶ディスプレイ、エレクトロルミネセンス（ＥＬ）ディスプレイ、発光ダイオード（ＬＥＤ）および有機発光ダイオード（ＯＬＥＤ）ディスプレイ、特に投影または直視概念において用いられるフラットパネルディスプレイなどにおいて存在する画素または副画素欠陥の視覚的マスキングのためのシステムおよび方法に関する。
【０００２】
この発明は、白黒およびカラーディスプレイの両方、ならびに各画素または副画素が個々にアドレス指定可能であるという特徴を満たす、放射、透過、反射および透過反射ディスプレイ技術の双方に当てはまる。
【背景技術】
【０００３】
発明の背景
現在、大抵の、マトリックスに基づくディスプレイ技術は、長く確立されている電子画像形成技術、たとえば陰極線管（ＣＲＴ）などと比較して、その技術的な初期段階にある。その結果、数多くの領域の画像品質欠点が依然として存在し、ある適用例においてはこれらの技術の受容に関し問題を引起している。
【０００４】
マトリックスに基づくまたはマトリックスアドレス指定されるディスプレイは、画素と呼ばれる、適切な駆動電子機器によって個々に駆動（またはアドレス指定）され得る個々の画像形成要素から構成される。駆動信号は画素を第１の状態、オン状態（輝度が放たれるか、透過されるかまたは反射される）を、第２の状態、オフ状態（輝度は放たれも透過されも反射されもしない）に切換え−たとえばＥＰ−１１７３３５参照−、またはあるディスプレイについては、オンとオフとの間の１つまたは任意の中間状態（放たれ、透過されまた反射される輝度の量の変調）に切換え得る−たとえばＥＰ−０４６２６１９およびＥＰ−１１７３３５を参照−。
【０００５】
マトリックスアドレス指定されるディスプレイは、典型的には、何百万個もの画素から構成されるため、ある状態（オン、オフまたはその間の任意の状態）で動かない画素が存在することがよくある。画素要素が複数の副画素を含む場合、それが個々に制御可能であろうとなかろうと、副画素要素のうちの１つ以上がある状態で動かなくなるかもしれない。たとえば、ある画素構造は３つの副画素要素を赤色、緑色および青色のそれぞれに対して含むかもしれない。これら副画素要素のうちの１つがある状態で動かなくなる場合、その画素構造は永久的な色シフトを有する。大抵の場合、そのような問題は（たとえば欠陥トランジスタなど）個々の画素の駆動電子機器における機能不全によるものである。他の考えられ得る原因は、ディスプレイの製造に関与するさまざまな製造プロセスおよび／またはこれらディスプレイの物理的構築での問題であり、それらの各々は考慮の対象の電子ディスプレイの技術のタイプによって異なる。さらに、ある画素または副画素要素は、実際にある状態で動かないというのではなく、それの近隣の画素または副画素とは大きく異なる輝度または色のふるまいを示す可能性もある。たとえば、限定はされないが、ある欠陥画素はその近隣の画素とは（１つ以上の映像レベルにおいて）２０％を超えて異なる輝度のふるまいを示し、または、ある欠陥画素はその近隣の画素のダイナミックレンジ（最大輝度／最小輝度）とは１５％を超えて異なるダイナミックレンジを示し、または、ある欠陥画素はそのディスプレイに対する平均または所望される値に比してある値よりも大き
い色シフトを示す。もちろん、他の規則も、画素または副画素が欠陥を有するものであるかどうかを判断するのに可能である（誤った画像解釈に対する危険の可能性を有するどのような条件も、ある規則において、画素が欠陥画素であるかどうかを判断するよう表現され得る）。塵などによる明るいまたは暗いスポットも画素欠陥として考慮されてもよい。欠陥画素の理由そのものはこの発明にとっては重要ではない。
【０００６】
欠陥画素または副画素は典型的にはディスプレイのユーザにとって非常に可視である。それらは、非常により低い（主観的な）画像品質をもたらす結果となり、ディスプレイのユーザおよび要求が厳しい適用例（たとえば医療面における画像化、特にマーモグラフィなど）にとっては非常に不快であるかまたは邪魔なものである。欠陥画素または副画素は意図される適用例に対しディスプレイを使用不可能にさえし得、なぜならばそれは表示されている画像の正しくない解釈をもたらす結果にもなり得るからである。画像忠実度が高くあるよう求められる適用例、たとえば医療分野における適用例などの場合には、このような状況は受入れられない。
【０００７】
ＵＳ−５，５０４，５０４には画像ディスプレイに存在する欠陥の視覚的インパクトを低減するための方法およびディスプレイシステムが記載されている。このディスプレイは画素からなるアレイを含み、各非欠陥画素は、光がビューイング面に向けられる「オン」状態と光がビューイング面に向けられない「オフ」状態との間において機能をアドレス指定することによって、入力データに応答して選択的に動作可能である。各欠陥画素は中央の欠陥画素に近接する補償画素からなる第１の輪によって即座に取囲まれる。補償画素は中央の欠陥画素から間隔をおかれた参照画素からなる第２の輪によって即座に取囲まれる。欠陥画素を取囲む第１の輪における少なくとも１つの補償画素の、アドレス指定回路により判断された値は、欠陥の視覚的インパクトを低減するため、それの所望または意図される値から訂正値へと変更される。１つの実施例では、補償画素の値の選択は、補償画素および欠陥画素のすべてに対する平均の視覚的に損なわれた値が欠陥画素の意図された値と等しくなるように行なわれる。別の実施例では、補償画素の値の調整が、各補償画素の所望される値にオフセットを加えることによって行なわれる。このオフセットの選択は、オフセット値の和が欠陥画素の意図された値と等しくなるように行なわれる。
【０００８】
上記の文献において提案される解決策の１つの欠点は、妥当な訂正結果を得るために試行錯誤法が１つおきのディスプレイに対し必要とされるという点である。
【０００９】
ＷＯ  ０３／１００７５６からは、追加の冗長副画素を伴う主要な副画素の組を有する画素を伴うディスプレイシステムに対し欠陥副画素を有する不良画素をマスキングすることが公知である。このマスキングは、前記不良画素の所望される知覚特性と前記画素の修正された知覚特性との間の誤差を低減することによって実行される。換言すると、この方法は、不良画素に対する所望される知覚特性を得、それによって冗長副画素の使用が必要とされることに焦点を合わされる。上記文献の方法の１つの欠点は、冗長副画素が各すべての画素に対して必要であるという点である。この文献にはディスプレイシステムにおいて追加の冗長画素なしで欠陥をマスキングする方法については記載されてはいない。
【発明の開示】
【発明が解決しようとする課題】
【００１０】
発明の概要
この発明の目的は、画素欠陥をより可視にしないための方法および装置を提供し、したがって誤った画像解釈を回避することであり、この方法は、受容可能な訂正結果を得るために試行錯誤法を必要とすることなく異なるタイプのマトリックスディスプレイに対し使用可能である。
【課題を解決するための手段】
【００１１】
上記の目的はこの発明に従うある方法および装置によって達成される。
第１の局面において、この発明は複数のディスプレイ要素を含むマトリックスディスプレイに存在する欠陥の視覚的インパクトを低減する方法を提供し、その方法は：
人の視覚系の表現を与えることと、
ディスプレイに存在する少なくとも１つの欠陥を特徴付けることとを含み、その欠陥は複数の非欠陥ディスプレイ要素によって取囲まれ、前記方法はさらに、
駆動信号を、複数の非欠陥ディスプレイ要素のうちの少なくともあるものに関して、人の視覚系の表現および少なくとも１つの欠陥の特徴付けに従って導き出すことにより、欠陥に対する人の視覚系の予期される応答を最小限に抑えることと、
複数の非欠陥ディスプレイ要素のうちの少なくともあるものを、導き出された駆動信号で駆動することとを含む。さらなる局面においては、この発明は、複数の画素を含むマトリックスディスプレイに存在する欠陥の視覚的インパクトを低減するための方法を提供し、画素は少なくとも３つの副画素を含み、各副画素は画素が有する他の副画素の副画素色の線形組合せによっては得られ得ない副画素色を発生させることに対して意図され、前記方法は：
人の視覚系の表現を与えることと、
ディスプレイに存在する少なくとも１つの欠陥副画素を特徴付けることとを含み、その欠陥副画素は第１の副画素色を発生させることに対して意図され、および複数の非欠陥副画素によって取囲まれ、前記方法はさらに、
駆動信号を、複数の非欠陥副画素のうちの少なくともあるものに関して、人の視覚系の表現および少なくとも１つの欠陥副画素の特徴付けに従って導き出すことにより、欠陥副画素に対する人の視覚系の予期される応答を最小限に抑えることと、
複数の非欠陥副画素のうちの少なくともあるものを、導き出された駆動信号で駆動することとを含み、欠陥副画素に対する人の視覚系の応答を最小限に抑えることは別の副画素色を発生させるため少なくとも１つの非欠陥副画素の光出力値を変更することを含み、前記別の副画素色は前記第１の副画素色とは異なる。
【００１２】
欠陥副画素に対する人の視覚系の応答を最小限に抑えることは前記欠陥副画素と同じ画素の一部である少なくとも１つの非欠陥副画素において光出力偏差を導入することを含んでもよい。欠陥副画素の光出力偏差は、それによって、欠陥副画素と非欠陥状態における同じ副画素または同じ属性を有する同様の副画素の光出力との間における光出力の差として定義される。前記導入された光出力偏差は欠陥副画素によって引起される光出力偏差と同様であってもよい。これは、欠陥副画素の光出力偏差と非欠陥副画素の導入された光出力偏差とが５０％以下、好ましくは２０％以下、より好ましくは１０％以下異なり、さらにより好ましくは等しいかまたは実質的に等しいことを意味する。
【００１３】
代替的に、前記光出力偏差は、前記画素の全光出力が欠陥副画素を全く有さない画素の全光出力と実質的に等しいようであってもよい。これは、欠陥副画素を全く有さない画素の全光出力と、この発明に従って訂正が行なわれる欠陥副画素を有する同じ画素の全光出力とが、５０％以下、好ましくは２０％以下、より好ましくは１０％以下異なり、およびさらにより好ましくは等しいことを意味する。
【００１４】
駆動信号を複数の非欠陥副画素のうちの少なくともあるものに対して導き出すことは、さらに、前記人の視覚系と前記ディスプレイとの間の距離、前記人の視覚系と前記ディスプレイとの間の視野角、および環境的な迷光の存在のうちの少なくとも１つに対して訂正を組込むことにより実行されてもよい。
【００１５】
ディスプレイに存在する少なくとも１つの欠陥副画素を特徴付けることは、個々の副画素の位置および線形光出力応答を特徴付ける特徴付けデータを記憶することを含んでもよ
く、この特徴付けデータは個々の副画素の光出力をそれの駆動信号の関数として表現する。
【００１６】
この発明に従うある方法は、さらに、特徴付けデータを、副画素から捕捉される画像から発生させることをさらに含んでもよい。特徴付けデータを発生させることは、ディスプレイの各副画素に対し特徴付けデータを表現するディスプレイ要素プロファイルマップを構築することを含んでもよい。
【００１７】
人の視覚系の表現を与えることは、副画素に与えられる刺激に対する人の目の予期される応答を計算することを含んでもよい。副画素に与えられる刺激に対する人の目の予期される応答を計算することについては、目の点像分布関数、瞳関数、線像分布関数、光学伝達関数、変調伝達関数または位相伝達関数のうちの任意のものを使用してもよい。これらの関数は分析的に、たとえば、テイラー多項式、ザイデル多項式もしくはゼルニケ多項式のうち任意のものを用いることに基づいて、または数値的に記述されてもよい。
【００１８】
この発明に従うある方法では、欠陥副画素に対する人の視覚系の応答を最小限に抑える際に、境界条件を考慮に入れてもよい。
【００１９】
人の視覚系の応答を最小限に抑えることは実時間で実行されてもよく、またはオフラインで実行されてもよい。
【００２０】
欠陥は欠陥副画素によって引起されてもよく、または外部の要因、たとえば副画素に、もしくは副画素間に付着する塵などによって引起されてもよい。
【００２１】
第２の局面においては、この発明は、複数のディスプレイ要素を含み人の視覚系によって見られるよう意図されるマトリックスディスプレイに存在する欠陥の視覚的インパクトを低減するためのシステムを提供し、人の視覚系のための第１の特徴付けデータが与えられ、前記システムは：
ディスプレイに存在する少なくとも１つの欠陥に対し第２の特徴付けデータを発生させるための欠陥特徴付け装置を含み、欠陥は複数の非欠陥ディスプレイ要素によって取囲まれ、前記システムはさらに、
第１の特徴付けデータおよび第２の特徴付けデータに従って複数の非欠陥ディスプレイ要素のうちの少なくともあるものに対して駆動信号を導き出し、それによって、欠陥に対する人の視覚系の予期される応答を最小限に抑える訂正装置と、
複数の非欠陥ディスプレイ要素のうちの少なくともあるものを、導き出された駆動信号で駆動するための手段とを含む。
【００２２】
さらなる局面では、この発明は、複数の画素を含むマトリックスディスプレイに存在する欠陥の視覚的インパクトを低減するためのシステムを提供し、前記画素は少なくとも３つの副画素を含み、各副画素は、画素が有する他の副画素の副画素色の線形組合せによっては得られ得ない副画素色を発生させることに対して意図され、ディスプレイは人の視覚系によって見られるよう意図され、人の視覚系のための特徴付けデータが与えられ、前記システムは：
ディスプレイに存在する少なくとも１つの欠陥副画素に対し第２の特徴付けデータを発生させるための欠陥特徴付け装置を含み、欠陥副画素は第１の副画素色を発生させることに対して意図され複数の非欠陥副画素によって取囲まれ、前記システムはさらに、
第１の特徴付けデータおよび第２の特徴付けデータに従って複数の非欠陥副画素のうちの少なくともあるものに対して駆動信号を導き出し、それによって、欠陥副画素に対する人の視覚系の予期される応答を最小限に抑える訂正装置と、
複数の非欠陥副画素のうちの少なくともあるものを、導き出された駆動信号で駆動する
ための手段とを含み、訂正装置は、別の副画素色を発生させることに対して意図される少なくとも１つの非欠陥副画素の光出力値を変更する手段を含み、前記別の副画素色は前記第１の副画素色とは異なる。
【００２３】
訂正装置は前記欠陥副画素と同じ画素の一部である少なくとも１つの非欠陥副画素において光出力偏差を導入するための手段を含んでもよい。前記光出力偏差は欠陥副画素によって引起される光出力偏差と同様であってもよい。欠陥副画素の光出力偏差は、それによって、欠陥副画素と非欠陥状態における同じ副画素または同じ属性を有する同様の副画素の光出力との間における光出力の差として定義される。この発明の実施例に従うと、欠陥副画素の光出力偏差と非欠陥副画素の導入された光出力偏差とが５０％以下、好ましくは２０％以下、より好ましくは１０％以下異なり、さらにより好ましくは等しいかまたは実質的に等しい。
【００２４】
代替的に、前記光出力偏差は、前記画素の光出力が欠陥副画素を全く有さない画素の光出力と実質的に等しいようであってもよい。これは、欠陥副画素を全く有さない画素の全光出力と、この発明に従って訂正が行なわれる欠陥副画素を有する同じ画素の全光出力とが、５０％以下、好ましくは２０％以下、より好ましくは１０％以下異なり、およびさらにより好ましくは等しいことを意味する。
駆動信号を導き出すための訂正装置は、前記人の視覚系と前記ディスプレイとの間の距離、前記人の視覚系と前記ディスプレイとの間の視野角、および環境的な迷光の存在のうちの少なくとも１つに対して訂正をを組込む駆動信号を導き出すことに対して適合されてもよい。欠陥副画素特徴付け装置はディスプレイの副画素の画像を発生させるための画像捕捉装置を含んでもよい。欠陥副画素特徴付け装置は、さらに、ディスプレイの個々の副画素の実際の位置を識別するための副画素位置識別装置を含んでもよい。
【００２５】
この発明に従うあるシステムでは、第１の特徴付けデータを与えることに関し、副画素に与えられる刺激に対する人の目の応答を計算するための計算手段を有する視覚特徴付け装置を設けてもよい。
【００２６】
第３の局面においては、この発明は人の視覚系によって見られるよう意図される画像を表示するためのマトリックスディスプレイ装置を与え、このマトリックスディスプレイ装置は：
複数のディスプレイ要素、
人の視覚系に対する第１の特徴付けデータを記憶するための第１のメモリ、
ディスプレイ装置に存在する少なくとも１つの欠陥に対し第２の特徴付けデータを記憶するための第２のメモリ、
第１の特徴付けデータおよび第２の特徴付けデータに従って、駆動信号を、欠陥を取囲む非欠陥ディスプレイ要素に関して変調し、マトリックスディスプレイ装置に存在する欠陥の視覚的インパクトを低減するための変調装置を含む。
【００２７】
さらなる局面において、この発明は、人の視覚系によって見られるよう意図される画像を表示するためのマトリックスディスプレイ装置を与え、前記マトリックスディスプレイ装置は：
複数の画素を含み、前記画素は少なくとも３つの副画素を含み、各副画素は、画素が有する他の副画素の副画素色の線形組合せによっては得られ得ない副画素色を発生させることに対して意図され、前記マトリックスディスプレイ装置はさらに、
人の視覚系に対する第１の特徴付けデータを記憶するための第１のメモリと、
ディスプレイ装置に存在する少なくとも１つの欠陥副画素に対し第２の特徴付けデータを記憶するための第２のメモリとを含み、欠陥副画素は第１の副画素色を発生させること
に対して意図され、前記マトリックスディスプレイ装置はさらに、
第１の特徴付けデータおよび第２の特徴付けデータに従って、駆動信号を、欠陥副画素を取囲む非欠陥副画素に関して変調し、マトリックスディスプレイ装置に存在する欠陥副画素の視覚的インパクトを低減するための変調装置を含み、駆動信号を変調することは、別の副画素色を発生させることに対して意図される少なくとも１つの非欠陥副画素の光出力値を変更することを含み、前記別の副画素色は前記第１の副画素色とは異なる。
【００２８】
第１および第２のメモリは物理的に同じメモリ装置であってもよい。
第４の局面において、この発明は複数のディスプレイ要素を含み人の視覚系によって見られるよう意図されるマトリックスディスプレイに存在する欠陥の視覚的インパクトを低減するためのシステムとともに用いるための制御ユニットを提供し、前記制御ユニットは、
人の視覚系に対する第１の特徴付けデータを記憶するための第１のメモリ、
ディスプレイに存在する少なくとも１つの欠陥に対し第２の特徴付けデータを記憶するための第２のメモリ、および、
第１の特徴付けデータおよび第２の特徴付けデータに従って、駆動信号を、欠陥を取囲む非欠陥ディスプレイ要素に関して変調し、欠陥の視覚的インパクトを低減するための変調手段を含む。
【００２９】
さらなる局面において、この発明は、複数の画素を含むマトリックスディスプレイに存在する欠陥の視覚的インパクトを低減するためのシステムとともに用いるための制御ユニットを提供し、前記画素は少なくとも３つの副画素を含み、各副画素は、画素が有する他の副画素の副画素色の線形組合せによっては得られ得ない副画素色を発生させることに対して意図され、ディスプレイは人の視覚系によって見られるよう意図され、前記制御ユニットは、
人の視覚系に対する第１の特徴付けデータを記憶するための第１のメモリと、
ディスプレイに存在する少なくとも１つの欠陥副画素に対し第２の特徴付けデータを記憶するための第２のメモリとを含み、欠陥副画素は第１の副画素色を発生させることに対して意図され、前記制御ユニットはさらに、
第１の特徴付けデータおよび第２の特徴付けデータに従って、駆動信号を、欠陥副画素を取囲む非欠陥副画素に関して変調し、欠陥副画素の視覚的インパクトを低減するための変調手段を含み、駆動信号を変調することは、別の副画素色を発生させることに対して意図される少なくとも１つの非欠陥副画素の光出力値を変更することを含み、前記別の副画素色は前記第１の副画素色とは異なる。
【００３０】
この発明は、したがって、マトリックスディスプレイにおける欠陥画素および／または副画素の問題を、それらを、通常の使用環境の下、人の目に対してほとんど不可視にすることによって解決する。これは、欠陥画素または副画素の近隣にある非欠陥画素および／または副画素の駆動信号を変更することにより行なわれる。
【００３１】
以下の記載では、欠陥画素をマスキングするよう用いられる画素または副画素は「マスキング要素」と称され、欠陥画素または副画素それ自体は「欠陥」と称される。
【００３２】
欠陥画素または副画素によって意味されるのは同じ輝度を常に示す画素であり、つまり、それに与えられる駆動刺激にかかわらずある特定の状態（たとえば、限定はされないが、常に黒、または常に完全に白など）および／もしくは色のふるまいで動かない画素もしくは副画素、またはディスプレイの非欠陥画素もしくは副画素に比して深刻な歪みを示す輝度もしくは色のふるまいを示す画素もしくは副画素である。たとえば、与えられた駆動信号に反応するが、近隣の画素の輝度のふるまいとは非常に異なる輝度のふるまいを有する画素、たとえば、周囲の画素よりも非常により暗いかまたは明るい画素は欠陥画素と考
えられ得る。
【００３３】
視覚的にマスキングするということによって意味されるのは、ディスプレイのユーザに対して欠陥の可視性および悪影響を最小限に抑えることである。
【００３４】
この発明は、欠陥の可視性を最小限に抑えるためマスキング要素に対して最適な駆動信号を計算することができる数学的モデルを開示する。同じアルゴリズムをすべてのディスプレイ構成に対して用い得、なぜならば、それはディスプレイ特性を記述するあるパラメータを用いるからである。人の目の特性に基づくある数学的モデルを用いてマスキング要素の最適な駆動信号を計算する。このモデルは、与えられる刺激の重ね合わせ（この場合、欠陥およびマスキング画素）に対する人の目の実際の応答を計算するようアルゴリズムを記述する。斯くして、マスキング要素の最適な駆動信号は１つまたはそれより多い変数を伴う関数の数学的最小化問題として記載され得る。１つまたはそれより多い境界条件をこの最小化問題に付加することが可能である。別途の境界条件が必要とされるときの例は、１つまたはそれより多いマスキング要素の欠陥、マスキング要素の考えられ得る駆動信号に対する制限、マスキング要素の駆動信号における依存性…の場合である。
【００３５】
この発明は欠陥画素を修復はし得ないが、欠陥を（ほとんど）不可視にし、したがって間違った画像解釈を回避する。
【００３６】
この発明の上記および他の特性、特徴および利点は、たとえばこの発明の原理を示す添付の図面と併せて以下の詳細な記載から明らかとなる。この記載は、この発明の範囲を限定することなく、例示のために対してのみ与えられる。以下において示される参照番号は添付の図面に言及する。
【００３７】
異なる図面において同じ参照符号は同じであるかまたは類似の要素を示す。
【発明を実施するための最良の形態】
【００３８】
例示的実施例の説明
この発明は特定の実施例に関しある図面を参照して記載されるが、この発明はそれに限定されるものではなく、特許請求の範囲によってのみ限定される。記載される図面は概略的なものに過ぎず、非限定的である。図面においては、要素のうちのあるもののサイズは説明の目的のため誇張され、尺度通りに描かれてはいない場合もある。「含む」という語が本記載および特許請求の範囲において用いられる場合、それは他の要素またはステップを排除しはしない。
【００３９】
本記載において、「水平」および「垂直」という語は、座標系を与えるよう、および説明を容易にするためのみに用いられる。それらは従来垂直方向および水平方向と称される２つの直交する方向を伴う座標系を示す。それらは、そうである必要はないが、装置の実際の物理的方向を示す場合もある。特に、水平および垂直は等価であり、９０°およびその奇数倍の単純な回転によって交換可能である。
【００４０】
マトリックスアドレス指定されるディスプレイは個別のディスプレイ要素を含む。これらのディスプレイ要素は、それら自体またはグループ化のいずれにおいても、個々にアドレス指定可能であることにより任意の画像を表示または投影する。本記載において、「ディスプレイ要素」という語は、光出力を変調する任意の形式の要素、たとえば、発光する要素、または光が通過される要素、または光が反射される要素などを含むよう理解される。「ディスプレイ」という語はプロジェクタを含む。あるディスプレイ要素は、したがって、発光性、透過性、反射性または透過反射性ディスプレイ、特に固定されたフォーマットのディスプレイの、個々にアドレス指定可能な要素であってもよい。「固定されたフォ
ーマット」という表現は、表示または投影されるべき任意の画像のある領域はディスプレイまたはプロジェクタのある部分とたとえば１対１関係において関連付けられるという事実に関する。ディスプレイ要素は、副画素、１つの画素を形成する複数の副画素と並んで、たとえばグレースケールＬＣＤにおける画素であってもよい。たとえば、異なる色、たとえば赤色副画素、緑色副画素および青色副画素を伴う３つの副画素がたとえばＬＣＤなどのカラーディスプレイにおいて１つの画素をともに形成してもよい。画素という語が用いられる場合はいつでも、別段の明示的な言及がない限り、同じことが副画素に対して維持されてもよいと理解される。
【００４１】
この発明はフラットパネルディスプレイを参照して記載されるが、それに限定されるものではない。フラットパネルディスプレイは全くフラットである必要はなく、形状化または曲げられたパネルを含むことが理解される。フラットパネルディスプレイが陰極線管などのディスプレイと異なるのは、各々が光を小さな領域にわたって生じさせるかまたは制御する「セル」または「画素」からなるマトリックスまたはアレイを含むという点である。この種のアレイは固定されたフォーマットのアレイと呼ばれる。表示されるべき画像の画素とディスプレイのセルとの間にはある関係がある。通常、これは１対１の関係である。各セルは別個にアドレス指定され駆動されてもよい。フラットパネルディスプレイが能動マトリックス装置であるかまたは受動マトリックス装置であるかはこの発明に対する限定として考えられない。セルのアレイは通常行および列にあるが、この発明はそれには限定されず、任意の構成、たとえば有極構成または六角形構成を含んでもよい。この発明は主に液晶ディスプレイに関して記載されるが、この発明は異なるタイプのフラットパネルディスプレイ、たとえばプラズマディスプレイ、電界放出ディスプレイ、ＥＬディスプレイ、ＯＬＥＤディスプレイなどにより広く適用可能である。特に、この発明は、発光要素のアレイを有するディスプレイのみならず、発光装置のアレイを有するディスプレイにも関し、それにより、各装置は多数の個々の要素から形成される。ディスプレイは発光性、透過性、反射性または透過反射性ディスプレイであってもよい。
【００４２】
さらに、アレイの画素要素をアドレス指定し駆動する方法はこの発明に対する限定としては考えられない。典型的には、各画素要素は書込によってアドレス指定されるが、他の方法も公知であり、たとえば（ＵＳ−６，０８９，７３９に記載されるように）プラズマ放出アドレス指定またはＣＲＴアドレス指定など、この発明に有用である。
【００４３】
マトリックスアドレス指定されるディスプレイ１２は個別の画素１４を含む。これらの画素１４はすべての種類の形状を取り得、たとえば、それらは文字の形式を取り得る。図１ａ〜図２ｂに与えられるマトリックスディスプレイ１２の例は水平行および垂直列に配置される矩形または方形の画素１４を有する。図１ａは等しく駆動されるとすべての画素１４において等しい輝度応答を有する完全なディスプレイ１２の画像を示す。同じ信号で駆動されるすべての画素１４は同じ輝度をなす。対照的に、図１ｂは、ディスプレイ１２の画像を示すが、ここにおいては、ディスプレイ１２の画素１４も等しい信号によって駆動されるものの、画素１４は異なる階調値によってわかるように、異なる輝度をなす。図１ｂのディスプレイ１２の画素１６は欠陥画素である。図１ｂは常に中間画素状態にある１つの欠陥画素１６を伴う白黒画素構造を示す。
【００４４】
図２ａはカラーＬＣＤディスプレイ１２の典型的なＲＧＢストライプ画素構成を示す：１つの画素１４はストライプの順序付けにおいてカラーの副画素２０、２１、２２からなる。これら３つの副画素２０、２１、２２は個々に駆動されてカラー画像を発生させる。図２ａでは、２つの欠陥副画素：常にオフである欠陥赤色副画素２４および常に完全にオンである欠陥緑色副画素２５が存在する。
【００４５】
図２ｂは高解像度白黒ディスプレイに対して頻繁に用いられる非対称画素構造を示す。
図２ｂでは、１つの白黒画素１４は３つの白黒副画素からなる。パネルのタイプおよび駆動電子機器に依って、１つの画素が有する３つの副画素は１つの単位としてまたは個々に駆動される。図２ｂは３つの画素欠陥：「常にオン」状態である完全欠陥画素１６および偶然同じ画素１４に位置する「常にオフ」状態の２つの欠陥副画素２７、２８を示す。
【００４６】
画素１４の輝度差の空間的分布は任意であり得る。さらに、多くの技術では、この分布は、画素１４に対し異なる応答関係を示す画素に対する与えられる駆動の関数として変化することもわかっている。低輝度に至る低い駆動信号では、空間的分布パターンはより高い駆動信号でのパターンとは異なり得る。
【００４７】
目、特に人の目の光学系は３つの主な構成要素：角膜、虹彩、および水晶体を含む。角膜は目が有する透明な外側の表面である。瞳は網膜に達する光の量を制限し、それは目の光学系の開口数を変化させる。水晶体に緊張を与えることにより、目は近くの物体および遠くの物体の両方に対して焦点を合わせることができる。目の光学系は非常に複雑であるが、画像形成のプロセスは「ブラックボックス」方策を用いることにより単純化され得る。ブラックボックスのふるまいは複素瞳関数：
【００４８】
【数１】
2007512557.tif 000003
【００４９】
によって記述され得る。この式において、ｉは√−１を示し、λは光の波長である。瞳関数は２つの部分：ブラックボックスの形状、サイズおよび透過率を規定する振幅成分Ｐ（ｘ，ｙ）；およびブラックボックスを通過した後光の位相がどのように変化したかを規定する波収差Ｗ（ｘ，ｙ）からなる。
【００５０】
一旦（ブラックボックス、この場合は目を通過した）光の性質がわかると、画像形成プロセスは点像分布関数（ＰＳＦ）によって記述され得る。ＰＳＦはブラックボックスにより形成される点放射源の画像を記述する。人の水晶体を含む大抵の水晶体は完全な光学系ではない。その結果、視覚的刺激が角膜および水晶体を通過すると、その刺激はある度合の劣化または歪みを経る。この劣化または歪みは水晶体を通して光の非常に小さいドット、つまり点を投影することにより表現され得る。この点の画像は元のものとは同じとはならず、なぜならば水晶体は少量のぼやけを導入するからである。
【００５１】
目のＰＳＦはフラウンホウファー近似：
【００５２】
【数２】
2007512557.tif 000004
【００５３】
を用いて計算され得る。式中、ＦＴは、通常はＦ（ｘ’，ｙ’）＝ＦＴ｛ｆ（ｘ，ｙ）｝として記載される二次元フーリエ変換を表わし、Ｋは定数である。｜｜は絶対値演算子を表わす。人の目の場合、ＰＳＦは網膜における点放射源の画像を記述する。完全な物体を記述するためには、物体を（おそらくは非常に多数のまたは無限数の）点放射源の組合せまたは行列として考え得る。これら点放射源の各々は次いで網膜上において同じＰＳＦによって記述されるように投影される（この近似は厳密には物体が小さいものであり単一の波長からなる場合に有効であるに過ぎない）。数学的には、これは畳込みによって記述され得る：
【００５４】
【数３】
2007512557.tif 000005
【００５５】
式中、Ｉ（ｘ’，ｙ’）は網膜上における結果的な画像であり、ＰＳＦは点像分布関数であり、Ｏ（ｘ’，ｙ’）は像面における物体（object）表現である。典型的には、この畳込みは、フーリエ領域において、ＰＳＦおよび物体の両方のフーリエ変換を乗算し、次いで逆フーリエ変換をその結果に適用することにより計算されることになる。
【００５６】
視覚適用例においては、波収差Ｗ（ｘ，ｙ）を数学的に多項式の組によって記述することは慣行となっている。しばしば、ザイデル多項式が用いられるが、テイラー多項式およびゼルニケ多項式も通常の選択肢である。特に、ゼルニケ多項式は波収差分析をより容易にする興味ある性質を有する。しばしば、未知の波収差がゼルニケ多項式によって近似され；多項式の係数は典型的には、最小二乗あてはめを実行することにより判断され得る。
【００５７】
この発明の場合、どのように複素瞳関数またはＰＳＦが記述されるかはこの発明に対する限定とは考えられない。これは、分析的に（たとえば、限定はされないが、標準的な多項式または任意の他の好適な分析法によってデカルト座標系または極座標における数学的関数）、または数値的に、ある点における関数値を記述することにより行なわれ得る。さらに、（ＰＳＦの代わりに、）それに限定はされないが、「瞳関数（または収差）」、「線像分布関数（ＬＳＦ）」、「光学伝達関数（ＯＴＦ）」、「変調伝達関数（ＭＴＦ）」および「位相伝達関数（ＰＴＦ）」などのような光学系の他の（等価な）表現を用いることも可能である。明らかな数学的関係がこれらすべての表現法の間に存在し、１つの形式を他の形式に変換することが可能である。図３ａは光学素子が回折制限されるだけであると考えられる場合における分析的ＰＳＦを示す。ＰＳＦは明らかに単一の点ではなく、つまり、点放射源の画像は点ではなく、回折制限されるＰＳＦの中央ゾーンはエアリーの円盤と呼ばれることに注目されたい。図３ｂおよび図３ｃはテスト対象物において測定された（数値的）ＰＳＦを示す。ここにおいて、再び、ＰＳＦは点ではないことがわかる。
【００５８】
各光学系のＰＳＦは異なってもよいので、この発明に従う訂正はユーザにとって特有である目の特性およびしたがってＰＳＦを用いることによりユーザに特有なものにされ得る。
【００５９】
光学系のＰＳＦに基づいて、この発明のある局面に従うと、欠陥画素に対する目の応答または予期される応答は数学的に記述され得る。したがって、欠陥画素は「誤差輝度」値が欠陥それ自体およびそのとき欠陥位置に表示されるはずである画像データに依存する点放射源として取扱われる。たとえば、欠陥画素が輝度値２３を有するよう駆動されるが、欠陥のゆえそれが輝度値３を出力する場合、この欠陥は誤差輝度値−２０を伴う点放射源として取扱われる。この誤差輝度値は正および負の値の両方を有し得ることに注目されたい。暫くした後この同じ欠陥画素が輝度値１を示すよう駆動されるが欠陥のゆえそれが依然として輝度値３を示すと考えて、その場合、この同じ欠陥画素は誤差輝度値＋２を伴う点放射源として取扱われることになる。
【００６０】
上で記載されるように、ある特定の誤差輝度値を伴うこの点放射源はＰＳＦによって記述されるような目の応答をもたらす結果となる。この応答は典型的には単一の点ではないため、欠陥画素の近隣にある画素および／または副画素を用いて何らかの画像改善を与えることが可能である。これら近隣の画素はマスキング画素と呼ばれ、欠陥画素に対する目の応答を最小限に抑えるような態様で駆動され得る。この発明に従うと、これは、マスキ
ング画素の画像および欠陥画素の画像の重ね合わせによって人の目のより低いまたは最小限の応答がもたらされる結果となるようにマスキング画素の駆動信号を変更することにより達成される。数学的には、これは以下のように表わされ得る：
【００６１】
【数４】
2007512557.tif 000006
【００６２】
式中、Ｃ１，…，Ｃｎは欠陥に対する最小の目の応答を得るために相対的位置（ｘ１，ｙ１），（ｘ２，ｙ２），…，（ｘｎ，ｙｎ）でマスキング画素Ｍ１，…，Ｍｎに対し重ね合わせられなければならなり輝度値である。関数費用関数（ｖ，ｘ’，ｙ’）は位置（ｘ’，ｙ’）における目の応答から「ペナルティ」値を計算する。ある例（限定はされない）は費用関数（ｖ，ｘ’，ｙ’）＝ｖ、費用関数（ｖ，ｘ’，ｙ’）＝ａｂｓ（ｖ）、費用関数（ｖ，ｘ’，ｙ’）＝ｖ2／ｓｑｒｔ（ｘ’2＋ｙ’2））である。デカルト座標系（ｘ’，ｙ’）（アクセントを伴う）は網膜上の像面において、原点が欠陥のＰＳＦ（ｘ’，ｙ’）の中心である状態で規定されることが注目される。デカルト座標系（ｘ，ｙ）はディスプレイの物体面において規定され、（ｘ，ｙ）は欠陥に対するマスキング画素の位置を示す。これら２つの座標系間における関係は（ｘ’，ｙ’）＝（Ｃ*ｘ，Ｃ*ｙ）として表現され得、Ｃは像面における倍率として定義される（特に物体距離に依存する）。図４ａはマスキングが適用されない場合における像面における単一の欠陥画素に対する目の応答を示す。図４ｂは同じ欠陥画素に対する目の応答を示すが、ただし、２４個のマスキング画素（欠陥画素の近隣画素）を用いるマスキングが適用された後のものを示す。図４ｃはマスキング画素および欠陥画素（中央点）の像面におけるＰＳＦの中央位置を示す。これらのシミュレーションは回折制限されたＰＳＦとともに実行されたものであり、最小化は、数値的に、最小二乗誤差法を用いて行なわれた。
【００６３】
この発明は上で用いられるようなデカルト座標系など任意の特定の座標系に限定されず；他の系、たとえば、それに限定されはしないが、極座標系も可能である。
【００６４】
この発明に従うと、マスキング画素の最適な訂正輝度を発見するという問題は十分に理解されている最小化問題に変えられる。この数学的な記述は非常に一般的であることに注目されたく：それはどのような制限もマスキング画素の数に対して課しもしなければこれらマスキング画素の位置に対しても課しはしない。画素は、さらに、どのような特定の画素構造に位置する必要もなく：アルゴリズムはすべての可能な画素組織を処理し得る。さらに、欠陥それ自体は必ずしも画素位置には位置せず：たとえば、２つの画素間の塵などが永久的な明るいスポットを引起し得る。
【００６５】
上記のアルゴリズムは欠陥に対する目の応答を最小限に抑えるためにマスキング画素に対し最適な駆動信号を計算するようある一般的な方法を記述する。
【００６６】
実際には、しかしながら、記述されるアルゴリズムに対する追加を必要とするかもしれない何らかのある特別な状況が存在する。
【００６７】
第１の特別な状況は、画素が個々には駆動され得ず、グループで駆動されるときである
。たとえば、高解像度白黒ＬＣＤは、１つの白黒画素が、図２ｂに示されるように、等しくおよび同時に駆動される３つの白黒副画素からなる画素構造を有することが多い。そのような状況では、境界条件を解決されるべき最小化問題に対して適用してこの駆動法を尊重する必要がある。３つの等しくおよび同時に駆動される副画素の場合、境界条件は、同じ画素内における同時に駆動される副画素の各々の訂正係数は同じ値を有するべきである旨を述べるべきである。
【００６８】
第２の特別な状況は画素が限定された駆動範囲を有するときに生ずる。上記の訂正アルゴリズムは、あるマスキング画素に対し、その画素の輝度範囲の外にある、必要とされる輝度値をもたらすであろうことが考えられる。すべての画素の駆動値を制限する境界条件を導入することによってこの問題は解決される。そのようなタイプの境界条件は以下のように述べられ得、
【００６９】
【数５】
2007512557.tif 000007
【００７０】
これはすべてのマスキング画素に対する。式中、ＬＬは画素の駆動下限であり、ＵＬは駆動上限である。「画素値」は画素の通常の（訂正されない）画素値であり、「訂正値」はそのマスキング画素に対する計算された訂正値である。
【００７１】
さらに、マスキング画素の最終的な駆動値は整数でなければならないという要件は用いられるべき境界条件となり得る。
【００７２】
第３の特別な状況は、複数の欠陥が小さな領域に存在し、その小さな領域とは１つの特定の欠点に対するすべてのマスキング画素を含む領域であるするときに生ずる。この場合、必要とされる値をすべてのマスキング画素に割当てることは可能ではないかもしれない。この場合、数学的な記述は、「欠陥の１つが像面座標系および物体面座標系の双方の中心として選択されるべきである」と述べ直されるべきである。次いでアルゴリズムは、以下の式に示されるようにこの領域におけるすべての欠陥およびすべての用いられるマスキング画素に対する全応答を最小限にすべきである：
【００７３】
【数６】
2007512557.tif 000008
【００７４】
式中、Ｃ１，…，Ｃｎはマスキング画素に対し重ね合わせられるべき訂正値であり、Ｅ１，…，Ｅｍは近隣における欠陥の誤差輝度値である。この場合、欠陥１は原点として選択されたことに注目されたい。
【００７５】
第４の特別な状況は、画素（または欠陥）がより大きく、したがってそれらは点放射源によってはもうそれ以上はモデル化され得ないときに生ずる。これを解決するため、欠陥は（おそらくは無限である）ある数の点放射源としてモデル化されるべきである。１つの
例は、画素が２つの領域からなる二重領域横電界駆動（in-plane switching（ＩＰＳ））ＬＣＤパネルであろう。そのような画素は必ずしも同じ輝度値を有さない２つまたはそれより多い点放射源によってモデル化され得る。図５ａは、各々が３つの副画素５１を有し各副画素５１が２つの領域５２、５３を有する９個の画素５０を示す。図５ｂは１つの画素５０を詳細に示す。この状況において、各画素５０を６つの点放射源の重ね合わせとして取扱うことが必要かもしれない。画素５０は単位としてしか駆動され得ないため、各画素５０の６つの訂正係数は等しくあるべきである旨を述べる境界条件が必要とされる。
【００７６】
記述されるアルゴリズムは輝度値を用いるのであって駆動値を用いるのではない。典型的なディスプレイは、しかしながら、画素の駆動レベルと結果としての輝度値との間には全く線形関係を有さない。したがって、現実のディスプレイシステムでは、計算された輝度訂正は必要とされる駆動レベル訂正に変換されるべきである。典型的には、ディスプレイシステムは特定のガンマ曲線でパネルに接続される１つまたはそれより多い参照テーブル（ＬＵＴ）を有する。輝度値から駆動値への変換は逆演算を適用することにより簡単である。訂正が適用されるまさにその位置に依って、ＬＵＴ反転は必要であるかもしれないし必要でないかもしれない。図６は駆動レベルから結果としてもたらされる輝度レベルへの典型的な変換を示す。
【００７７】
この発明の上記の実施例はすべて白黒ディスプレイに関する。カラーディスプレイの場合、訂正を計算するのに３つの可能性がある。
【００７８】
第１の方法は欠陥副画素と同じ色のマスキング副画素のみを用いることである。この方法は単純であるが、可視の色シフトを導入し得、というのも、欠陥画素およびマスキング画素の色値は変化し得るからである。
【００７９】
したがって、第２の方法が提案されるが、それによると、人工的な欠陥が導入され、欠陥画素およびマスキング画素の色の点または色の座標はほんの少しだけ変化するかまたは全く変化しない。たとえば：ＲＧＢ副画素を伴うカラーパネルにおいて特定のＲ副画素に欠陥がありその画素の色の点は正しくないとすると、方法のこの実施例に従うと、人工的なＧおよびＢ欠陥副画素が、欠陥画素の色の点または色の座標が可能な限り正しく残るように導入される（しかし輝度値は正しくない）。色の点を完全に残りの副画素で訂正することは常に可能というわけではないことに注目されたい。この方法を述べ直すため：２つの残りの非欠陥副画素の駆動値は単位としての画素の色の点が可能な限り正しい値に近い状態で残るように変更されることになる。当業者にとって、一旦各副画素タイプ（たとえば図２ａにおけるようにカラーディスプレイの場合赤、緑および青の副画素）の（Ｙ，ｘ，ｙ）座標が利用可能となると、これは実行するのが容易であることは明らかとなる。これらの（Ｙ，ｘ，ｙ）座標は、Ｙは強度でありｘ，ｙは色度座標であるが、副画素タイプの各々ごとに、１つまたはそれより多い駆動レベルで、容易に測定され得る。次いで、マスキング画素が、通常の最小化問題で、各色ごとに、独立して、人工的な欠陥が現実の欠陥として取扱われる場合、計算される。
【００８０】
人の目は色度差に対してよりも強度差に対してより感度が高い。したがって、第３の方法は、色の点の誤差が、欠陥による強度誤差をできるだけ小さく保つようにする。これは目の強度応答を最小限にするだけによるか、または主にそのようにすることによって達成され得る。この場合、残りの非欠陥副画素を駆動するための駆動信号は、単位としての画素の輝度強度誤差が可能な限り小さくある態様で変更されることになるが、その一方で、単位としての画素の色は表示されるよう元々意図される色から外れてもよい。これは、同じく、一旦各副画素タイプ（たとえば図２ａにおけるようにカラーディスプレイの場合赤、緑および青の副画素）の（Ｙ，ｘ，ｙ）座標が利用可能となると、実行するのが容易である。これは、この場合においても、仮想の欠陥が導入され、おそらくは色度誤差をより
大きくするが、強度誤差を最小限にすることを意味する。たとえば、赤色および青色副画素は同じレベルの駆動信号においては緑色副画素よりもより小さな強度値を有することが知られている。緑色副画素が欠陥を有する場合、赤色および青色副画素の駆動がこの発明のこの実施例に従ってより高い強度レベルを有するように駆動される。
【００８１】
もちろん、上記の３つの方法を組合せることも可能である。これが好ましくあり得るのは、たとえば、目的が、強度誤差および色温度誤差の両方を、それらのうちの一方がおそらく他方よりもより重要であるような状態で、同時に制限することであるような場合である。
【００８２】
典型的には、ＰＳＦは（わずかに）波長に依存することに注目されたい。異なるＰＳＦを各副画素色に対して用い得る。図７ａはディスプレイ７０に存在する現実の緑色の欠陥副画素７１を示す。図７ｂは同じ緑色の欠陥副画素７０と、画素の正しい色座標を保つよう導入される人工的な赤色および青色欠陥副画素７２、７３を示す。人工的な欠陥画素７２、７３は現実にディスプレイに存在するというのではなく、これら画素の駆動レベルを変更することにより導入される。図７ｂにおける状況に対しては、最小化問題は３つの欠陥副画素：１つの実際の欠陥副画素７１および２つの人工的に導入された欠陥副画素７２、７３に基づいて解決されることになる。
【００８３】
回折制限される光学系のＰＳＦは（極座標においては）
【００８４】
【数７】
2007512557.tif 000009
【００８５】
によって与えられ、ここにおいて、Ｊ１は第１の種類のベッセル関数であり、ｒ’は
【００８６】
【数８】
2007512557.tif 000010
【００８７】
によって与えられ、ここで、Ｄは開口径であり、ｆは焦点距離であり、λは光の波長である。これは、ＰＳＦそのものは目の虹彩の径に依存することを意味する。したがって、１つの改良点は、ディスプレイの平均輝度値またはディスプレイのある部分、たとえば欠陥の近隣および／または環境の平均輝度値に基づく計算に対して用いられるＰＳＦを採用することであろう。
【００８８】
このようにして、この方法は、ディスプレイおよびディスプレイ欠陥に関する人の視覚系の位置、たとえばディスプレイまでの距離または視野角などについての情報を考慮に入れることを可能にするのみならず、周囲の環境における迷光強度も考慮に入れることを可能にする。
【００８９】
計算を単純化するため、アルゴリズムに対するある何らかの変更がなされ得る。
第１の可能な変更は式１における積分を欠陥の周囲の限られた領域へ制限することである。これが可能であるのは、費用関数の結果（およびＰＳＦの値）が、典型的には、欠陥からの増大する距離とともに非常に早く減少するからである。対称のＰＳＦを用いるかま
たは画素構造が対称的である場合、ある境界条件をマスキング画素の訂正値に適用することが可能であることが多い。たとえば、点対称ＰＳＦおよび点対称画素構造の場合、マスキング画素に対する必要とされる訂正値も点対称性示すことは明らかである。
【００９０】
別の可能な変更は、積分を、ある範囲にわたって、その範囲における特定の点にわたる総和として近似することであり得る。これは数学において一般的に用いられる。計算時間が非常に重要である場合、二次元最小化問題は一次元問題に（ＰＳＦ（ｘ’，ｙ’）をＰＳＦ（ｒ’）によって変換または近似することによって）変換または近似され得る。
【００９１】
この発明に従う欠陥の視覚的マスキングはソフトウェアおよびハードウェアの双方においてなされ得る。訂正は、画像を、上記されるように、この発明の訂正機構のうちの任意のものに基づいた予め訂正される画像に変換する。訂正がなされ得る場合のある可能な実現例が図８に示されているが、それは実時間訂正システムに対する可能な位置を示している。（１）によって示されるように、画素訂正は、ホストコンピュータのＣＰＵによって、たとえばグラフィカルカードのドライバコードにおいて、もしくはある特定のアプリケーションとともに行なわれてもよく、またはビューイングアプリケーションに埋込まれてもよい。代替的に、（２）および（３）に示されるように、画素訂正は、ハードウェアまたはファームウェアのいずれにおけるにしても、グラフィカルカードにおいてなされてもよい。さらに別の実施例に従うと、（４）および（５）に示されるように、画素訂正は、ハードウェアにおけるにしても、またはファームウェアにおけるにしても、ディスプレイにおいてなされてもよい。そしてさらに別の実施例に従うと、（６）に示されるように、画素訂正はデータ通路のどこでも、グラフィカルカードとディスプレイとの間において送信される信号においてなされてもよい。
【００９２】
この発明の実施例に従う訂正アルゴリズムは（ディスプレイの少なくともフレームレートで）実時間において、または（１回、特定のときにおいて、またはディスプレイのフレームレートよりも低いフレームレートにおいて）オフラインでの両方で実行され得ることに注目されたい。
【００９３】
この発明は２つの主な適用例を有する：１）ディスプレイのユーザが、欠陥画素を、表示された画像に存在する現実の信号と取り違えることを回避すること；それは特にたとえば放射線医学の場合には放射線技師にその欠陥を現実に存在するものとして取扱わせるかもしれず、そのようなことは診断の質にとって可能な脅威となるであろう；および２）ユーザのフラストレーションを回避することであり、なぜならば、ユーザのおそらく新しいディスプレイは１つまたはそれより多い極端に可視である画素欠陥を示すからである。
【００９４】
この発明に従うある装置は視覚測定システム、マトリックスアドレス指定されるディスプレイの個々の画素の自動化された電子視覚のための、つまり、個々の画素１４によって（ディスプレイのタイプの依存して）放たれるかまたは反射される光出力、たとえば輝度などを測定するためのセットアップを含む。視覚測定システムは画像捕捉装置、たとえばフラットベッドスキャナまたは高解像度ＣＣＤカメラ、ならびにおそらくは画像捕捉装置およびディスプレイ１２を互いに対して移動させるための移動装置を含む。画像捕捉装置は出力ファイルを発生させるが、それは完全な電子ディスプレイ１２の画素１４の詳細な絵を与える電子画像ファイルである。一旦ディスプレイ１２の画素１４の画像が得られると、あるプロセスが実行されて、特徴付けデータを、画像捕捉装置から得られた電子画像から抽出する。
【００９５】
輝度の代わりに、色も測定され得る。視覚セットアップはその場合わずかに異なり、色測定装置、たとえば測色カメラまたは走査分光器などを含む。基礎をなす原理は、しかしながら、同じであり：画素の位置およびその色が判断される。
【図面の簡単な説明】
【００９６】
【図１ａ】等しい輝度を伴うグレースケール画素を有するマトリックスディスプレイを示す。
【図１ｂ】等しくない輝度を伴うグレースケール画素を有するマトリックスディスプレイを示す。
【図２ａ】ＲＧＢストライプ画素構成を有するＬＣＤディスプレイを示し：１つの画素はストライプ順序付けで３つのカラー副画素を含み、ディスプレイは常に完全にオンである欠陥緑色副画素および常にオフである欠陥赤色副画素を有する。
【図２ｂ】等しくない輝度を副画素において有するグレースケールＬＣＤに基づくマトリックスディスプレイを示す。
【図３ａ】光学素子が回折制限されるのみであるよう考慮される場合における分析的点像分布関数（ＰＳＦ）を示す。
【図３ｂ】テスト対象において測定される数値的ＰＳＦを示す。
【図３ｃ】テスト対象において測定される数値的ＰＳＦを示す。
【図４ａ】マスキングが全く適用されない場合における像面における単一の画素欠陥に対する目の応答を示す。
【図４ｂ】同じ画素欠陥に対する目の応答を示すが、ただし、２４個のマスキング画素でのマスキングが適用された後におけるものを示す。
【図４ｃ】マスキング画素および画素欠陥の像面におけるＰＳＦの中央位置を示す。
【図５ａ】各々が３つの副画素および２つの領域を有する９つの画素を示す。
【図５ｂ】そのような画素のうちの１つを詳細に示す。
【図６】駆動レベルから輝度レベルへの変換を示す。
【図７ａ】ディスプレイに存在する現実の緑色の副画素欠陥を示す。
【図７ｂ】同じ緑色副画素欠陥と、可能な限り正しい色座標に近い画素の色座標を保つため導入される人工的な赤色および青色副画素欠陥とを示す。
【図８】この発明の任意の実施例に従う実時間訂正システムに対する可能な位置を示す。
【図１ａ】
2007512557.tif 000011
【図１ｂ】
2007512557.tif 000012
【図２ａ】
2007512557.tif 000013
【図２ｂ】
2007512557.tif 000014
【図３ａ】
2007512557.tif 000015
【図３ｂ】
2007512557.tif 000016
【図３ｃ】
2007512557.tif 000017
【図４ａ】
2007512557.tif 000018
【図４ｂ】
2007512557.tif 000019
【図４ｃ】
2007512557.tif 000020
【図５ａ】
2007512557.tif 000021
【図５ｂ】
2007512557.tif 000022
【図６】
2007512557.tif 000023
【図７ａ】
2007512557.tif 000024
【図７ｂ】
2007512557.tif 000025
【図８】
2007512557.tif 000026
【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
複数の画素（１４）を含むマトリックスディスプレイ（１２、７０）に存在する欠陥の視覚的インパクトを低減するための方法であって、前記画素（１４）は少なくとも３つの副画素（２０、２１、２２）を含み、各副画素は画素が有する他の副画素の副画素色の線形組合せによっては得られ得ない副画素色を発生させることに対して意図され、前記方法は：
副画素（２０、２１、２２）に与えられる刺激に対する人の目の予期される応答を計算することによって人の視覚系の表現を与えることと、
ディスプレイ（１２、７０）に存在する少なくとも１つの欠陥副画素（１６、２４、２５、２７、２８、７１）を特徴付けることとを含み、その少なくとも１つの副画素（１６、２４、２５、２７、２８、７１）は第１の副画素色を発生させることに対して意図され、その欠陥副画素（１６、２４、２５、２７、２８、７１）は複数の非欠陥副画素によって取囲まれ、前記方法はさらに、
駆動信号を、複数の非欠陥副画素のうちの少なくともあるもの（７２、７３）に関して、人の視覚系の表現および少なくとも１つの欠陥副画素（１６、２４、２５、２７、２８、７１）の特徴付けに従って導き出すことにより、欠陥副画素（１６、２４、２５、２７、２８、７１）に対する人の視覚系の予期される応答を最小限に抑えることと、
複数の非欠陥副画素のうちの少なくともあるもの（７２、７３）を、導き出された駆動信号で駆動することとを含み、
欠陥副画素（１６、２４、２５、２７、２８、７１）に対する人の視覚系の応答を最小限に抑えることは別の副画素色を発生させることに対して意図される少なくとも１つの非欠陥副画素（７２、７３）の光出力値を変更することを含み、前記別の副画素色は前記第１の副画素色とは異なる、方法。
【請求項２】
欠陥副画素（１６、２４、２５、２７、２８、７１）に対する人の視覚系の応答を最小限に抑えることは前記欠陥副画素（１６、２４、２５、２７、２８、７１）と同じ画素（１４）の一部である少なくとも１つの非欠陥副画素（７２、７３）において光出力偏差を導入することを含む、請求項１に記載の方法。
【請求項３】
前記光出力偏差は欠陥副画素（１６、２４、２５、２７、２８、７１）によって引起される光出力偏差と同様である、請求項２に記載の方法。
【請求項４】
前記光出力偏差は、前記画素（１４）の全光出力が、その画素がどのような欠陥副画素（１６、２４、２５、２７、２８、７１）も有さないであろう場合に、その画素（１４）の全光出力と実質的に等しいように、される、請求項２に記載の方法。
【請求項５】
駆動信号を複数の非欠陥副画素のうちの少なくともあるもの（７２、７３）に対して導き出すことは、さらに、前記人の視覚系と前記ディスプレイ（１２、７０）との間の距離、前記人の視覚系と前記ディスプレイ（１２、７０）との間の視野角、および環境的な迷光の存在のうちの少なくとも１つに対して訂正を組込むことにより実行される、先行する請求項のいずれかに記載の方法。
【請求項６】
ディスプレイに存在する少なくとも１つの欠陥副画素（１６、２４、２５、２７、２８、７１）を特徴付けることは、個々の副画素（２０、２１、２２）の位置および線形光出力応答を特徴付ける特徴付けデータを記憶することを含み、この特徴付けデータは個々の副画素（２０、２１、２２）の光出力をそれの駆動信号の関数として表現する、先行する請求項のいずれかに記載の方法。
【請求項７】
副画素（２０、２１、２２）に与えられる刺激に対する人の目の予期される応答を計算することについては、目の点像分布関数、瞳関数、線像分布関数、光学伝達関数、変調伝達関数または位相伝達関数のうちの任意のものを使用する、先行する請求項のいずれかに記載の方法。
【請求項８】
欠陥副画素（１６、２４、２５、２７、２８、７１）に対する人の視覚系の応答を最小限に抑える際に、境界条件を考慮に入れる、先行する請求項のいずれかに記載の方法。
【請求項９】
複数の画素（１４）を含むマトリックスディスプレイに存在する欠陥の視覚的インパクトを低減するためのシステムであって、前記画素（１４）は少なくとも３つの副画素（２０、２１、２２）を含み、各副画素（２０、２１、２２）は、画素（１４）が有する他の副画素の副画素色の線形組合せによっては得られ得ない副画素色を発生させることに対して意図され、ディスプレイは人の視覚系によって見られるよう意図され、人の視覚系のための特徴付けデータは副画素に与えられる刺激に対する人の目の予期される応答を計算するための計算手段を有する視覚特徴付け装置によって与えられ、前記システムは：
ディスプレイ（１２、７０）に存在する少なくとも１つの欠陥副画素（１６、２４、２５、２７、２８、７１）に対し第２の特徴付けデータを発生させるための欠陥特徴付け装置を含み、欠陥副画素（１６、２４、２５、２７、２８、７１）は第１の副画素色を発生させることに対して意図され複数の非欠陥副画素によって取囲まれ、前記システムはさらに、
第１の特徴付けデータおよび第２の特徴付けデータに従って複数の非欠陥副画素のうちの少なくともあるもの（７２、７３）に対して駆動信号を導き出し、それによって、欠陥副画素（１６、２４、２５、２７、２８、７１）に対する人の視覚系の予期される応答を最小限に抑える訂正装置と、
複数の非欠陥副画素のうちの少なくともあるもの（７２、７３）を、導き出された駆動信号で駆動するための手段とを含み、
訂正装置は、別の副画素色を発生させることに対して意図される少なくとも１つの非欠陥副画素（７２、７３）の光出力値を変更する手段を含み、前記別の副画素色は前記第１の副画素色とは異なる、システム。
【請求項１０】
訂正装置は前記欠陥副画素（７１）と同じ画素（１４）の一部である少なくとも１つの
非欠陥副画素（７２、７３）において光出力偏差を導入するための手段を含む、請求項９に記載のシステム。
【請求項１１】
前記光出力偏差は欠陥副画素（１６、２４、２５、２７、２８、７１）によって引起される光出力偏差と同様である、請求項１０に記載のシステム。
【請求項１２】
前記光出力偏差は、前記画素（１４）の全光出力が、その画素がどのような欠陥副画素（１６、２４、２５、２７、２８、７１）も有さないであろう場合に、その画素の全光出力と実質的に等しいように、される、請求項１０に記載のシステム。
【請求項１３】
駆動信号を導き出すための訂正装置は、前記人の視覚系と前記ディスプレイ（１２、７０）との間の距離、前記人の視覚系と前記ディスプレイ（１２、７０）との間の視野角、および環境的な迷光の存在のうちの少なくとも１つに対して訂正をを組込む駆動信号を導き出すことに対して適合される、請求項９〜１２のいずれかに記載のシステム。
【請求項１４】
欠陥副画素（１６、２４、２５、２７、２８、７１）特徴付け装置はディスプレイ（１２、７０）の副画素（２０、２１、２２）の画像を発生させるための画像捕捉装置を含む、請求項９〜１３のいずれかに記載のシステム。
【請求項１５】
欠陥副画素（１６、２４、２５、２７、２８、７１）特徴付け装置はディスプレイ（１２、７０）の個々の副画素（２０、２１、２２）の実際の位置を識別するための副画素位置識別装置を含む、請求項９〜１４のいずれかに記載のシステム。
【請求項１６】
人の視覚系によって見られるよう意図される画像を表示するためのマトリックスディスプレイ装置（１２、７０）であって、
複数の画素（１４）を含み、前記画素（１４）は少なくとも３つの副画素（２０、２１、２２）を含み、各副画素（２０、２１、２２）は、画素（１４）が有する他の副画素の副画素色の線形組合せによっては得られ得ない副画素色を発生させることに対して意図され、前記マトリックスディスプレイ装置はさらに、
人の視覚系に対する第１の特徴付けデータを記憶するための第１のメモリと、
ディスプレイ装置（１２、７０）に存在する少なくとも１つの欠陥副画素（１６、２４、２５、２７、２８、７１）に対し第２の特徴付けデータを記憶するための第２のメモリとを含み、欠陥副画素（１６、２４、２５、２７、２８、７１）は第１の副画素色を発生させることに対して意図され、前記マトリックスディスプレイ装置はさらに、
第１の特徴付けデータおよび第２の特徴付けデータに従って、駆動信号を、欠陥副画素（７１）を取囲む非欠陥副画素（７２、７３）に関して変調し、マトリックスディスプレイ装置（１２、７０）に存在する欠陥副画素（７１）の視覚的インパクトを低減するための変調装置を含み、駆動信号を変調することは、別の副画素色を発生させることに対して意図される少なくとも１つの非欠陥副画素（７２、７３）の光出力値を変更することを含み、前記別の副画素色は前記第１の副画素色とは異なる、マトリックスディスプレイ装置。
【請求項１７】
第１および第２のメモリは物理的に同じメモリ装置である、請求項１６に記載のマトリックスディスプレイ装置（１２、７０）。
【請求項１８】
複数の画素（１４）を含むマトリックスディスプレイ（１２、７０）に存在する欠陥の視覚的インパクトを低減するためのシステムとともに用いるための制御ユニットであって、前記画素（１４）は少なくとも３つの副画素（２０、２１、２２）を含み、各副画素（２０、２１、２２）は、画素（１４）が有する他の副画素の副画素色の線形組合せによっては得られ得ない副画素色を発生させることに対して意図され、ディスプレイは人の視覚
系によって見られるよう意図され、前記制御ユニットは、
人の視覚系に対する第１の特徴付けデータを記憶するための第１のメモリと、
ディスプレイ（１２、７０）に存在する少なくとも１つの欠陥副画素（１６、２４、２５、２７、２８、７１）に対し第２の特徴付けデータを記憶するための第２のメモリとを含み、欠陥副画素（１６、２４、２５、２７、２８、７１）は第１の副画素色を発生させることに対して意図され、前記制御ユニットはさらに、
第１の特徴付けデータおよび第２の特徴付けデータに従って、駆動信号を、欠陥副画素（１６、２４、２５、２７、２８、７１）を取囲む非欠陥副画素（７１、７２）に関して変調し、欠陥副画素（１６、２４、２５、２７、２８、７１）の視覚的インパクトを低減するための変調手段を含み、駆動信号を変調することは、別の副画素色を発生させることに対して意図される少なくとも１つの非欠陥副画素（７１、７２）の光出力値を変更することを含み、前記別の副画素色は前記第１の副画素色とは異なる、制御ユニット。
【国際調査報告】
2007512557.tif 000027
2007512557.tif 000028
2007512557.tif 000029